(57)【要約】【課題】保湿容器の密閉性を高めるとともに中身のウェットティッシュ等を片手で取り出しやすくする。【解決手段】湿潤シート１１，１２を収納する容器本体１と、この容器本体に形成された湿潤シートの取出口２と、この取出口を開閉する容器本体に連結された開閉蓋とを具備した保湿容器において、取出口には、湿潤シートが取出口から引き出される際に摺接するガイド縁２ａが形成され、取出口は容器本体に取り付けられた軟質覆板７で覆われ、この軟質覆板にガイド縁の周辺に接離可能に被さる舌片７ａが形成され、湿潤シートがガイド縁に摺接しつつ取出口外に引き出される際に、この舌片が弾性変形して湿潤シートの通過を許容するようにした。【選択図】図６
2008100747.tif 000002
【特許請求の範囲】
【請求項１】
湿潤シートを収納する容器本体と、この容器本体又は容器本体の着脱部材に形成された湿潤シートの取出口と、この取出口を開閉する上記容器本体又は上記着脱部材にヒンジを介し連結された開閉蓋とを具備した保湿容器において、上記取出口には、湿潤シートが取出口から引き出される際に摺接するガイド縁が形成され、上記取出口は上記容器本体又は上記着脱部材に取り付けられた軟質覆板で覆われ、この軟質覆板に上記ガイド縁の周辺に接離可能に被さる舌片が形成され、湿潤シートが上記ガイド縁に摺接しつつ上記取出口外に引き出される際に、この舌片が弾性変形して湿潤シートの通過を許容するようにしたことを特徴とする保湿容器。
【請求項２】
請求項１に記載の保湿容器において、上記軟質覆板の外回りに軟質覆板と一体のパッキン部が設けられ、上記開閉蓋の閉時にこのパッキン部を上記取出口の周辺部に押し付ける押圧部が上記開閉蓋に設けられたことを特徴とする保湿容器。
【請求項３】
請求項１に記載の保湿容器において、上記取出口のガイド縁に、湿潤シートを取り出す時に扱く扱き部が形成されたことを特徴とする保湿容器。
【請求項４】
請求項１に記載の保湿容器において、上記開閉蓋の閉時に上記舌片を上記取出口の周辺部に押し付ける突起部が上記開閉蓋に設けられたことを特徴とする保湿容器。
【請求項５】
請求項２に記載の保湿容器において、上記パッキン部の外側にパッキン部および軟質覆板と一体のバネ部材が設けられ、このバネ部材が上記開閉蓋と上記容器本体又は上記着脱部材との間に介装されることにより、上記開閉蓋が常時開方向に付勢されるようにしたことを特徴とする保湿容器。
【請求項６】
請求項１に記載の保湿容器において、上記着脱部材が、上記容器本体に形成された湿潤シートの積層体の挿入口を開閉する蓋体であることを特徴とする保湿容器。
【請求項７】
請求項２に記載の保湿容器において、上記容器本体又は上記着脱部材における上記パッキン部の直下に環状溝が形成されたことを特徴とする保湿容器。
【請求項８】
請求項２に記載の保湿容器において、上記パッキン部が上方に隆起する中空凸条体として形成されたことを特徴とする保湿容器。
【請求項９】
請求項８に記載の保湿容器において、上記パッキン部の中空凸条体における外周壁の下側が中空内に向かって湾曲していることを特徴とする保湿容器。
【請求項１０】
請求項１に記載の保湿容器において、上記舌片が上記開閉蓋のヒンジ方向又はヒンジと反対方向に突出し、上記ガイド縁が舌片の突出側に設けられたことを特徴とする保湿容器。
【発明の詳細な説明】
【技術分野】
【０００１】
本発明は、ウェットティッシュ等の湿潤シートを収納する保湿容器に関する。
【背景技術】
【０００２】
ウェットティッシュ等の湿潤シートを収納する保湿容器は、湿潤シートを収納する容器本体と、この容器本体に形成された湿潤シートの取出口と、この取出口を開閉する容器本体に連結された開閉蓋とを具備する。湿潤シートはその多数のものがＺ字状に折られ、隣り合うもの同士で折れ部が互いに他方の間に入り込むように積み重ねられた状態で容器本体内に収納される。最上位の湿潤シートを取出口から引き出すと、これに連なるように次の湿潤シートの先端部分が取出口から引き出され、取出口の端に引っ掛かって停止する。以後同様にして湿潤シートが一枚ずつ取出口から取り出される。また、この種の保湿容器の開閉蓋は、湿潤シートに含浸したアルコール等の薬液、水等が蒸散しないように、湿潤シートの取出口の周辺部に密着するように、パッキン等のシール部材と共に設けられる（例えば、特許文献１，２，３，４，５参照。）。
【０００３】
【特許文献１】特開平１１−４９２０６号公報
【特許文献２】特開２０００−１４２８４２号公報
【特許文献３】特開２００１−２２５８７９号公報
【特許文献４】特表２００２−５２９３２２号公報
【特許文献５】特開２００４−２９９７６８号公報
【発明の開示】
【発明が解決しようとする課題】
【０００４】
ウェットティッシュ等の湿潤シートの先行するものが取出口から取り出されると、後続のものが先行するものに引きずられて取出口の縁に引っかかって停止し待機状態に保持される。ところが、取出口が大面積であるとか、円形等単純な形状であったりすると、後続の湿潤シートが容器本体内に落下し、次回の湿潤シートの取り出しが面倒になる。そのため、後続の湿潤シートの先端部が取出口に適正に保持されるように、従来の保湿容器の取出口は小面積に形成され（例えば、特許文献２参照。）、あるいは取出口の縁に湿潤シートの先端部を掛けるための突起等が形成される（例えば、特許文献１参照。）。
【０００５】
ところが、取出口を小さくしたり、取出口の縁を特殊な形状にしたりすると、後続の湿潤シートを待機位置に適正に保持することができるが、その湿潤シートを取り出そうとするときに、先端部を摘み難く、また、取り出す際に湿潤シートが取出口側に強い力で拘束されるので、湿潤シートに引きずられ容器が持ち上げられ、湿潤シートを容易に取り出すことができなくなるという問題がある。このため、容器から湿潤シートを取り出すには、一方の手で湿潤シートをつかみ、他方の手で容器を押さえるといった面倒な操作が必要となる。その場合、汚れた手で容器を押さえることになるので、容器が汚れるという問題も生じる。
【０００６】
また、従来の容器内を密封するためのパッキン部には単なる中実のＯリングが用いられているだけであるから、開閉蓋との密着性が不十分となり、保湿容器の密封性が低下するという問題もある。
【０００７】
本発明はこのような問題を解消することができる保湿容器を提供することを目的とする。
【課題を解決するための手段】
【０００８】
上記課題を解決するため、本発明は次のような構成を採用する。
【０００９】
すなわち、請求項１に係る発明は、湿潤シート（１１，１２）を収納する容器本体（１，１６）と、この容器本体（１）又は容器本体（１６）の着脱部材（１６ａ）に形成された湿潤シート（１１，１２）の取出口（２）と、この取出口（２）を開閉する上記容器本体（１）又は上記着脱部材（１６ａ）にヒンジ（５）を介し連結された開閉蓋（３）とを具備した保湿容器において、上記取出口（２）には、湿潤シートが取出口（２）から引き出される際に摺接するガイド縁（２ａ）が形成され、上記取出口（２）は上記容器本体（１）又は上記着脱部材（１６ａ）に取り付けられた軟質覆板（７）で覆われ、この軟質覆板（７）に上記ガイド縁（２ａ）の周辺に接離可能に被さる舌片（７ａ）が形成され、湿潤シート（１１，１２）が上記ガイド縁（２ａ）に摺接しつつ上記取出口（２）外に引き出される際に、この舌片（７ａ）が弾性変形して湿潤シートの通過を許容するようにしたことを特徴とする。
【００１０】
この請求項１に記載の保湿容器において、舌片（７ａ）は開閉蓋（３）のヒンジ（５）の方向に突出させてもよいし、ヒンジ（５）と反対方向に突出させてもよい。
【００１１】
この請求項１に記載の保湿容器において、軟質覆板（７）の外回りに軟質覆板（７）と一体のパッキン部（７ｂ）が設けられ、開閉蓋（３）の閉時にこのパッキン部（７ｂ）を取出口（２）の周辺部に押し付ける押圧部（１４）が開閉蓋（３）に設けられた構成とすることができる。パッキン部（７ｂ）の直下の容器本体（１）又は着脱部材（１６ａ）には環状溝（１３）を形成し、パッキン部（７ｂ）が押圧部（１４）により押圧される時に環状溝（１３）内に入り込むようにしてパッキン部（７ｂ）と押圧部（１４）との密着性を高めるようにしてもよい。また、パッキン部（７ｂ）は上方に突出する中空凸条体として形成してもよい。これにより、パッキン部（７ｂ）を変形しやすくしてパッキン部（７ｂ）と押圧部（１４）との密着性を高めることができる。
【００１２】
また、取出口（２）のガイド縁（２ａ）に、湿潤シート（１１，１２）を取り出す時に扱く扱き部（２ｂ）が形成されたものとすることもできる。
【００１３】
また、開閉蓋（３）の閉時に舌片（７ａ）を取出口（２）の周辺部に押し付ける突起部（１５）が開閉蓋（３）に設けられたものとすることもできる。
【００１４】
また、パッキン部（７ｂ）の外側にパッキン部（７ｂ）および軟質覆板（７）と一体のバネ部材（６）が設けられ、このバネ部材（６）が開閉蓋（３）と容器本体（１）又は着脱部材（１６ａ）との間に介装されることにより、開閉蓋（３）が常時開方向に付勢されるようにしたものとすることもできる。
【００１５】
また、着脱部材（１６ａ）は容器本体（１）に形成された湿潤シート（１１，１２）の積層体の挿入口を開閉する蓋体とすることができる。
【発明の効果】
【００１６】
本発明によれば、湿潤シート（１１，１２）が取出口（２）から引き出される際に摺接するガイド縁（２ａ）が取出口（２）に形成され、取出口（２）は軟質覆板（７）で覆われ、この軟質覆板（７）にガイド縁（２ａ）の周辺に接離可能に被さる舌片（７ａ）が形成され、湿潤シート（１１，１２）がガイド縁（２ａ）に摺接しつつ取出口（２）外に引き出されるに際に、この舌片（７ａ）が弾性変形して湿潤シート（１１，１２）の通過を許容することから、湿潤シート（１１，１２）を滑らかに取出口（２）から引き出すことができ、その際容器本体（１，１６）が持ち上げられることもなく片手操作が可能となる。また、後続の湿潤シート（１２）の先端部（１２ａ）は軟質覆板（７）によりガイド縁（２ａ）の周辺部に押し付けられ保持されるので、後続の湿潤シート（１２）における先端部（１２ａ）の容器本体（１，１６）内への落下が阻止され、従って次回の湿潤シート（１２）の取り出しも円滑に行うことができる。また、この後続の湿潤シート（１２）を取り出す際にその先端部（１２ａ）を指で摘みやすくなる。
【発明を実施するための最良の形態】
【００１７】
次に、本発明の実施の形態について図面を参照して説明する。
【００１８】
＜実施の形態１＞
図１乃至図４に示すように、この保湿容器は、湿潤シートを収納する容器本体１と、この容器本体１に形成された湿潤シートの取出口２と、この取出口２を開閉する容器本体１に連結された開閉蓋３とを具備する。
【００１９】
容器本体１は、たとえば合成樹脂により略直方体の殻体として形成される。容器本体１の底壁１ａは容器本体１の周壁に対し凹凸縁１ｂを介して着脱自在に嵌合する。凹凸縁１ｂの嵌合により、容器本体１内が密封状態に保たれる。凹凸縁１ｂの嵌合を解除してこの底壁１ａを外すことにより、容器本体１内に湿潤シートを収納することができる。
【００２０】
湿潤シートは、従来と同様にその多数のものがＺ字状に折られ、隣り合うもの同士で折れ部が互いに他方の間に入り込むように積み重ねられる。湿潤シートの積み重なったものの全体には、アルコール等の薬液、水等が含浸している。この湿潤シートの積み重なったものは当初袋４内に詰められた状態で保湿容器の容器本体１内に収納される。湿潤シートを保湿容器から一枚ずつ取り出す際に袋４が容器本体１から取り出され、開封された後中味の湿潤シートのみ又は開封された袋とともに容器本体１内に戻される。
【００２１】
取出口２は、容器本体１の天壁１ｃに概ね楕円形に形成され、容器本体１の天壁１ｃの長手方向に伸びるように配置される。その面積、形状は、望ましくは少なくとも親指と人差指の二本の指が入る程度とされる。このようにすると湿潤シートの使い始めの場合や、湿潤シートの先端部が容器本体１内に落下した場合に、容器本体１内に指を差し込み湿潤シートの先端部を摘んで引き出しやすくするうえで便宜である。
【００２２】
また、取出口２における容器本体１の正面側の縁が、湿潤シートを取出口２から引き出す際に湿潤シートの摺接するガイド縁２ａとして形成される。ガイド縁２ａは、湿潤シートを案内しやすくするため容器本体１の正面側に向かって突出するように湾曲する。そして、望ましくはこのガイド縁２ａの中央部には、湿潤シートを取り出す時に扱く扱き部２ｂが形成される。扱き部２ｂは、具体的にはガイド縁２ａの曲率よりも更に大きい曲率の円弧状凹溝として形成される。湿潤シートは取出口２から引き出される際、ガイド縁２ａの中央部に集められつつこの扱き部２ｂによって扱かれ、これによりアルコール等の余剰の含浸液が容器本体１内に滴下する。
【００２３】
開閉蓋３は、容器本体１の天壁１ｃを上記取出口２の上から覆うように設けられる。天壁１ｃの取出口２周辺は凹部として形成され、この凹部内に開閉蓋３が閉状態となって入り込むと、開閉蓋３の表面と容器本体１の表面とが同一面化する。開閉蓋３は概ね長方形に形成され、その後部が天壁１ｃの後部にヒンジピン５を介して連結される。開閉蓋３はこのヒンジピン５を介して上下方向に回動可能であり、このヒンジピン５を支点に回動することにより、取出口２をガイド縁２ａ側から開閉する。
【００２４】
また、開閉蓋３の後部と天壁１ｃの後部との間には、開閉蓋３を常時開方向に付勢するバネ部材６が介装される。バネ部材６としては、金属製のコイルバネ、板バネ等を用いることができるが、シリコンゴム製の板バネであるのが好ましい。このバネ部材６は後述する軟質覆板７と一体に成形してもよい。図４に示すように、このバネ部材６がヒンジピン５よりやや前側で開閉蓋３と天壁１ｃとの間に屈曲状態で介装される。バネ部材６の作用により、開閉蓋３はヒンジピン５を支点にして常時上方向に回動して取出口２を開けようとする。
【００２５】
一方、開閉蓋３の前端部に対応して天壁１ｃの前端部にはロック片８が設けられる。ロック片８は、図４に示すように、天壁１ｃに対し枢ピン８ａを介して上下に回動自在に支持される。ロック片８の枢ピン８ａより開閉蓋３側に寄った箇所には、開閉蓋３の前端に設けられた突起３ａが引っ掛かるロック部８ｂが設けられ、枢ピン８ａよりも容器本体１の前側には、開閉蓋３の開閉操作をする際に指で押さえる指掛け部８ｃと、指掛け部８ｃの押圧により変形するバネ片８ｄとが設けられる。開閉蓋３が閉まった状態では、開閉蓋３の突起３ａがロック片８のロック部８ｂに引っ掛かって、ロック片８が枢ピン８ａの回りを反時計方向に付勢されている。指掛け部８ｃをバネ片８ｄが変形するように押圧すると、ロック片８が枢ピン８ａの回りを反時計方向に回動し、ロック部８ｂが突起３ａから離反し、これにより、開閉蓋３はロック片８から解放され、バネ部材６の弾性作用によりヒンジピン５の回りを上方向に回動し、取出口２を開放する。
【００２６】
図１乃至図４に示すように、上記取出口２は容器本体１に取り付けられた軟質覆板７で覆われる。軟質覆板７は、シリコンゴム、エラストマー等で形成され、望ましくはガスバリア性、水蒸気バリア性が付与される。この軟質覆板７が容器本体１の天壁１ｃに取出口３を覆うように被せられ、固定ネジ９等の固定手段により天壁１ｃに固定される。具体的には、取出口２の左右両側において固定ネジ９により天壁１ｃに固定される。また、この軟質覆板７には、取出口２のガイド縁２ａの周辺に接離可能に被さる舌片７ａが形成される。舌片７ａはガイド縁２ａを前方に越え開閉蓋３内に止まるように延びる。この舌片７ａの先端に対応して、天壁１ｃには凹穴１０が形成され、この凹穴１０に指先を差し込むことで舌片７ａを摘みやすくしている。
【００２７】
このように取出口２が軟質覆板７で覆われることにより、図６及び図７（Ａ）に示すように、湿潤シート１１がガイド縁２ａの扱き部２ｂに摺接しつつ取出口２外に引き出される際、軟質覆板７の舌片７ａが弾性変形して湿潤シート１１の通過を許容する。この軟質覆板７の弾性変形により生じる力は弱いので、湿潤シート１１を引く力によって容器本体１が持ち上げられるようなことはなく、湿潤シート１１は円滑に取出口２を天壁１ｃの上方へと通過する。そして、図７（Ｂ）に示すように、後続する湿潤シート１２の先端部１２ａが舌片７ａの先の待機位置まで引き出され、その先端部１２ａの上から舌片７ａが被さる。これにより、湿潤シート１２の先端部１２ａは容器本体１内に落下しないように天壁１ｃ上に保持される。
【００２８】
また、図１乃至図６に示すように、軟質覆板７の外回りには、軟質覆板７と一体にパッキン部７ｂが設けられる。パッキン部７ｂは舌片７ａの回りと取出口３の回りとを取り囲むように無端状又は所望箇所が欠けた楕円形に設けられる。なお、上記バネ部材６もこのパッキン部７ｂと共に軟質覆板７と一体的に形成することができる。また、必要に応じて、容器本体１の天壁１ｃにはパッキン部７ｂに対応して環状溝１３が形成される。一方、上記開閉蓋３には、その閉時に軟質覆板７のパッキン部７ｂを取出口２の周辺部に押し付ける押圧部１４が環状のリブとして設けられる。開閉蓋３が閉じられると、押圧部１４がパッキン部７ｂを天壁１ｃ側に押圧し、これにより、図７（Ｃ）に示すように、取出口２の回りが密封され、湿潤シート１２からの含浸液の揮散が防止される。ことに環状溝１３が設けられている場合は、図５に示すように、パッキン部７ｂは環状溝１３内に弾性変形してめり込むので、パッキン部７ｂと押圧部１４との密着性が高まり、湿潤シート１２からの含浸液の揮散がより好適に防止される。
【００２９】
次に、上記構成の保湿容器の作用について説明する。
【００３０】
湿潤シート１１，１２は当初多数枚積み重ねられた状態で袋４内に詰められ、保湿容器の容器本体１内に収納された状態で販売される。
【００３１】
使用者は、購入当初容器本体１の底壁１ａを外して袋４を取り出し、袋４を開いて湿潤シートの積層体を取り出し、この積層体を容器本体１内に収納し、再び底壁１ａで容器本体１を閉じる。
【００３２】
そして、ロック片８の指掛け部８ｃを押して開閉蓋３のロックを解除する。開閉蓋３はバネ部材６の復元力により上方に回動し、軟質覆板７の上側を開放する。
【００３３】
使用者は、軟質覆板７と天壁１ｃとの間から取出口２内に指を差し込み、最上位の湿潤シート１１を外に引き出す。
【００３４】
湿潤シート１１は取出口２からそのガイド縁２ａに案内されつつ引き出され、ガイド縁２ａの扱き部２ｂによってガイド縁２ａの中央部に集められつつ扱かれる。これにより、アルコール等の余剰の含浸液が容器本体１内に戻される。
【００３５】
この湿潤シート１１の取り出しの際、図６及び図７（Ａ）に示すように、軟質覆板７の舌片７ａが上向きに弾性変形して湿潤シート１１の通過を許容する。この軟質覆板７の弾性変形により生じる力は湿潤シート１１を引っ張る力に比べて極めて小さいので、湿潤シート１１を引く力によって容器本体１が持ち上げられるようなことはなく、湿潤シート１１は円滑に取出口２外に引き出される。
【００３６】
この先行する湿潤シート１１が引き出されると、図７（Ｂ）に示すように、後続する湿潤シート１２の先端部１２ａが舌片７ａの先の待機位置まで引き出されて停止し、その先端部１２ａの上から舌片７ａが被さる。これにより、湿潤シート１２の先端部１２ａは天壁１ｃ上に保持され、容器本体１内への落下が防止される。
【００３７】
湿潤シート１１，１２がそれ以上必要でない場合は、使用者により開閉蓋３が閉じられる。使用者が開閉蓋３をバネ部材６の付勢力に抗して閉じると、開閉蓋３の突起３ａがロック片８のロック部８ｂに引っ掛かり、これにより開閉蓋３が閉状態に保持される。
【００３８】
開閉蓋３が閉じると、図７（Ｃ）に示すように、取出口２の回りが密封され、湿潤シート１２含浸液の揮散が防止され、さらには取出口２からの容器本体１内における湿潤シートの含浸液の揮散が防止される。
【００３９】
＜実施の形態２＞
図８及び図９に示すように、この実施の形態２では、開閉蓋３の閉時に舌片７ａを取出口２の周辺部の天壁１ｃに押し付ける突起部１５が開閉蓋３に設けられている。
【００４０】
突起部１５は、押圧部１４と同じように開閉蓋３と一体でバネ性を持たせて一体成形するのが好ましいが、開閉蓋３とは別部材とすることも可能である。また、突起部１５は例えば、ゴム、スポンジ等の弾性体で作ることも可能である。図９に示すように、開閉蓋３を閉じると、突起部１５が軟質覆板７の舌片７ａを待機位置にある湿潤シート１２の先端部１２ａごと天壁１ｃに押圧するので、湿潤シート１２の先端部１２ａが圧縮され、舌片７ａと天壁１ｃとの間の間隙が小さくなり、その結果含浸液の蒸散が低減する。また、湿潤シート１２の先端部１２ａの容器本体１内への落下がより効果的に防止される。
【００４１】
なお、この実施の形態２において実施の形態１のものと同じ部分には同一符号を付して示すこととし、重複した説明を省略する。
【００４２】
＜実施の形態３＞
図１０に示すように、この実施の形態３では、容器本体１６の着脱部材１６ａに湿潤シート１１，１２の取出口２が形成され、この取出口２を開閉する開閉蓋３が着脱部材１６ａに連結される。開閉蓋３下の取出口２、軟質覆板７等の構成は実施の形態１，２のものと同様である。
【００４３】
着脱部材１６ａは、具体的には容器本体１６に形成された湿潤シート１１，１２の積層体の挿入口を開閉するための蓋体である。この場合、容器本体１６は円筒形に形成され、この円筒形の容器本体１６の一端に蓋体である着脱部材１６ａが着脱自在に取り付けられている。この蓋体は容器本体１６にネジ、凹凸嵌合等の適宜手段により取り付けられている。
【００４４】
なお、この実施の形態３において実施の形態１のものと同じ部分には同一符号を付して示すこととし、重複した説明を省略する。
【００４５】
＜実施の形態４＞
図１１（Ａ）に示すように、この実施の形態４では、パッキン部１７が上方に隆起する中空凸条体として形成される。また、開閉蓋３の内面にはパッキン部１７に対応して環状突起１８が形成される。これにより、図１１（Ｂ）に示すように、開閉蓋３を閉めると、環状突起１８がパッキン部１７を押圧し、パッキン部１７は容易に弾性変形して環状突起に１８に密着する。したがって、容器本体１内をより適正に密封することができる。
【００４６】
なお、この実施の形態４において実施の形態１のものと同じ部分には同一符号を付して示すこととし、重複した説明を省略する。
【００４７】
＜実施の形態５＞
図１２（Ａ）に示すように、この実施の形態５では、実施の形態４の場合と異なり、パッキン部１７の中空凸条体における外周壁１７ａの下側が中空内に向かって湾曲している。これにより、図１２（Ｂ）に示すように、開閉蓋３の環状突起１８がパッキン部１７を押圧すると、実施の形態４の場合よりもパッキン部１７はさらに変形しやすくなり、環状突起に１８により強く密着する。したがって、容器本体１内の密封性がさらに高まる。
【００４８】
なお、この実施の形態５において実施の形態４のものと同じ部分には同一符号を付して示すこととし、重複した説明を省略する。
【００４９】
＜実施の形態６＞
図６に示したように、実施の形態５の場合は軟質覆板７の舌片７ａが開閉蓋３のヒンジピン５と反対方向に突出するが、図１３に示すようにこの実施の形態６では、軟質覆板７の舌片７ａが開閉蓋３のヒンジピン５の方に突出する。図１４に示すように、湿潤シート１１を引き出すときは、舌片７ａは湿潤シート１１に押されて容器本体１の前方へ捲れる。このように、先行する湿潤シート１１により舌片７ａが前方に捲れるので、後続する湿潤シート１２の先端はヒンジピン５側に突出した状態で舌片７ａにより抑えられ待機することになる。これにより、湿潤シート１２の先端が開閉蓋３の前端から容器の前方に食み出すような不具合が防止される。
【００５０】
なお、この実施の形態６において実施の形態１のものと同じ部分には同一符号を付して示すこととし、重複した説明を省略する。
【００５１】
＜実施の形態７＞
図１５に示すように、この実施の形態７では、バネ部材６がシリコンゴム製の板バネとして形成され、同じくシリコンゴム製の軟質覆板７およびパッキン部７ｂと一体成形されている。このバネ部材６が開閉蓋３と容器本体１との間に介装されることにより、開閉蓋３が常時開方向に付勢される。このように、バネ部材６、軟質覆板７およびパッキン部７ｂが一体化されているので、これらバネ部材６、軟質覆板７およびパッキン部７ｂを容器本体１あるいは着脱部材１６ａ（図１０参照）に位置ずれ等を来たすことなく簡易かつ迅速に装着することができる。
【００５２】
本発明は以上説明したように構成されるが、上記実施の形態１〜７に限定されるものではない。
【図面の簡単な説明】
【００５３】
【図１】本発明の実施の形態１に係る保湿容器の平面図である。
【図２】図１に示す保湿容器から開閉蓋を除去して示す平面図である。
【図３】図１中、ＩＩＩ−ＩＩＩ線矢視断面図である。
【図４】図１中、ＩＶ−ＩＶ線矢視断面図である。
【図５】図３中、Ｖ部分の拡大図である。
【図６】図２中、容器本体の上部の部分斜視図である。
【図７】図６中、ＶＩＩ−ＶＩＩ線矢視断面図であり、（Ａ）は湿潤シートが引き出される最中を示し、（Ｂ）は後続の湿潤シートが待機位置に置かれた状態を示し、（Ｃ）は開閉蓋を閉じた状態を示す。
【図８】本発明の実施の形態２に係る保湿容器を図４と同様な断面で示す図である。
【図９】図８に示す保湿容器を図７（Ｃ）と同様な断面で示す図である。
【図１０】本発明の実施の形態３に係る保湿容器の斜視図である。
【図１１】本発明の実施の形態４に係る保湿容器のパッキン部を示す断面図であり、（Ａ）は開閉蓋を閉める前、（Ｂ）は開閉蓋を閉めた後をそれぞれ示す。
【図１２】本発明の実施の形態５に係る保湿容器のパッキン部を示す断面図であり、（Ａ）は開閉蓋を閉める前、（Ｂ）は開閉蓋を閉めた後をそれぞれ示す。
【図１３】本発明の実施の形態６に係る保湿容器における容器本体の上部の部分斜視図である。
【図１４】図１３中、ＸＩＶ−ＸＩＶ線矢視断面図である。
【図１５】本発明の実施の形態７に係る保湿容器を示す図４と同様な断面図である。
【符号の説明】
【００５４】
１，１６…容器本体
２…取出口
２ａ…ガイド縁
２ｂ…扱き部
３…開閉蓋
６…バネ部材
７…軟質覆板
７ａ…舌片
７ｂ…パッキン部
１１，１２…湿潤シート
１４…押圧部
１５…突起部
１６ａ…着脱部材
【図１】
2008100747.tif 000003
【図２】
2008100747.tif 000004
【図３】
2008100747.tif 000005
【図４】
2008100747.tif 000006
【図５】
2008100747.tif 000007
【図６】
2008100747.tif 000008
【図７】
2008100747.tif 000009
【図８】
2008100747.tif 000010
【図９】
2008100747.tif 000011
【図１０】
2008100747.tif 000012
【図１１】
2008100747.tif 000013
【図１２】
2008100747.tif 000014
【図１３】
2008100747.tif 000015
【図１４】
2008100747.tif 000016
【図１５】
2008100747.tif 000017